(57)【要約】【課題】電動工具のハウジング２がコンパクトで、グリップサイズを太くする必要がなく、回転制御用電子部品１２の冷却効率が良く、過熱による故障や出力効率の低下が少なく、信頼性の高い電動工具を提供すること。【解決手段】後部にモータ３と冷却ファン４を、前部にはモータ３を駆動源とする回転駆動伝達部７をそれぞれ収納したハウジング２の下部にグリップが設けられた電動工具において、上記ハウジング２の後端下部とグリップの後端上部との間の内側に空間部Ｓを形成し、この空間部Ｓに上記モータ３の回転を制御する回転制御用電子部品１２と該回転制御用電子部品１２から発生した熱を放熱する放熱部材１６を配置した。【選択図】図３
2007268634.tif 000002
【特許請求の範囲】
【請求項１】
後部にモータと冷却ファンを、前部には上記モータを駆動源とする回転駆動部をそれぞれ収納したハウジングの前部に回転駆動伝達部を設け、ハウジングの下部にはグリップが設けられた電動工具において、
上記ハウジングの後端下部とグリップの後端上部との間の内側に空間部を形成し、この空間部に上記モータの回転を制御する回転制御用電子部品と該回転制御用電子部品から発生した熱を放熱する放熱部材を配置した
ことを特徴とする電動工具。
【請求項２】
上記ハウジングには、上記回転制御用電子部品の近傍に、上記冷却ファンに送る空気を取り込む吸気孔が形成されていることを特徴とする、請求項１に記載の電動工具。
【発明の詳細な説明】
【技術分野】
【０００１】
本発明は、インパクトドライバ等の電動工具に関し、特にモータの回転を制御する回転制御用電子部品を効率的に冷却することができる電動工具に関するものである。
【背景技術】
【０００２】
一般に、インパクトドライバ等の電動工具には、トリガスイッチの引き代によって回転数をコントロールすることを可能とするため、ＦＥＴ等の回転制御用電子部品を取り付けているものがある。このような電動工具は、トリガスイッチの引き量が浅いときは低速で、深く引くと高速で回転させることができる。ところが、回転制御用電子部品は、低速回転のときはとくに回転制御用電子部品が発熱して高温になるので、出力効率が低下したり、故障したりする。したがって、回転制御用電子部品の過熱を防止するための手段が要求される。
【０００３】
このような要求に対応するものとして、例えばモータの冷却ファンに空気を取り入れるための開口部の後方にさらに放熱板によって空気の流路を備えた放熱室を形成し、上記放熱板の内側に回転制御用電子部品を固定したもの（特許文献１）や、電動工具のグリップの下部に放熱ブロックを設け、この放熱ブロックに回転制御用電子部品を取り付けたもの（特許文献２）等が知られている。
【特許文献１】特開平１１−３００６５６号公報
【特許文献２】特開２００５−７４６１３号公報
【発明の開示】
【発明が解決しようとする課題】
【０００４】
しかしながら、特許文献１のものはモータの冷却ファンの後方に放熱板によって空気が流れる放熱室を形成する構成であるから、ハウジング全体の容積が増大し、大型で重量が重くなるという欠点があるだけでなく、冷却ファンからモータに送られる冷却風の流路が長くなるため、モータの冷却効率が低下するという問題がある。また、特許文献２のものは、グリップの内部には余分のスペースはないので、放熱性に問題があり、またグリップ自体を大きくせざるを得ないので、グリップが太くなってしまうという問題があった。
【０００５】
本発明は、上記問題点に鑑みてなされたものであって、電動工具のハウジングがコンパクトで、グリップサイズを太くする必要がなく、回転制御用電子部品の冷却効率が良く、過熱による故障や出力効率の低下が少なく、信頼性の高い電動工具を提供することを課題とする。
【課題を解決するための手段】
【０００６】
前記課題を解決するため、請求項１に係る発明は、後部にモータと冷却ファンを、前部には上記モータを駆動源とする回転駆動部をそれぞれ収納したハウジングの前部に回転駆動伝達部を設け、ハウジングの下部にはグリップが設けられた電動工具において、上記ハウジングの後端下部とグリップの後端上部との間の内側に空間部を形成し、この空間部に上記モータの回転を制御する回転制御用電子部品と該回転制御用電子部品から発生した熱を放熱する放熱部材を配置したことを特徴とする。
【０００７】
請求項２に係る発明は、さらに、上記ハウジングには、上記回転制御用電子部品の近傍に、上記冷却ファンに送る空気を取り込む吸気孔が形成されていることを特徴とする。
【発明の効果】
【０００８】
請求項１に係る発明によれば、ハウジングの後端下部とグリップの後端上部との間の内側空間部に上記モータの回転を制御する回転制御用電子部品と該回転制御用電子部品から発生した熱を放熱する放熱部材を配置した構成で、上記空間部はモータ用の冷却ファンの近傍であるから、冷却ファンが回転したときに空気の流れができるので、回転制御用電子部品の冷却効率が良く、過熱による故障が少ない信頼性の高い電動工具を提供することができる。
【０００９】
また、上記空間部はハウジングの後端下部とグリップの後端上部との間の内側に形成されたものであり、特別にハウジングに大きなスペースを設けることなく形成することができるので、ハウジングをコンパクトに保つことができ、またグリップサイズが損なわれることがない。
【００１０】
請求項２に係る発明によれば、回転制御用電子部品の近傍に、上記冷却ファンに送る空気を取り込む吸気孔が形成されているので、回転制御用電子部品の冷却効率が良好である。
【発明を実施するための最良の形態】
【００１１】
本発明の実施の形態を図面に基づいて説明する。
【００１２】
図１は本発明の実施の一形態に係るインパクトドライバの側面図、図２は図１のＸ−Ｘ線上の断面図であり、図３は要部を断面で示したインパクトドライバの一部側面図である。
【００１３】
上図において符号１は上記インパクトドライバの工具本体を示す。工具本体１のハウジング２の後部にはモータ３が内蔵され、モータ３の前方に冷却ファン４が設けられ、さらにその前方には遊星歯車等による減速部５とハンマ、アンビル等の回転駆動部６が収納され、ハウジング２の前端には回転駆動伝達部７が設けられている。回転駆動伝達部７の先端部にはドライバビット（図示せず）が着脱可能に構成されている。
【００１４】
また、ハウジング２の下部にはグリップ８が設けられている。グリップ８の前部にはモータ作動用トリガ９が配置されている。グリップ８には、トリガ９の操作に連動して接点を開閉するスイッチ１０が設けられているとともに、バッテリ電源１１も設けられている。スイッチ１０は上記モータ３、後述のＦＥＴ１２、バッテリ電源１１と電気的に接続されている。
【００１５】
ＦＥＴ１２はモータ３の回転を制御するための回転制御用電子部品で、上記ハウジング２の後端下部とグリップ８の後端上部との間の内側に形成された空間部Ｓに配置されている。すなわち、上述のようにハウジング２の後部にはモータ３が配置されており、ハウジング２のモータ３の周囲には冷却用空気の吸気孔１３が形成されている。同様に、モータ３の前方に配置された冷却ファン４の周囲には排気孔１４が形成されている。また、モータ３と冷却ファン４との間には仕切り板１５が取り付けられている。これは冷却ファン４によって外方に吹き飛ばされた空気が吸気孔１３側に戻らず、排気孔１４から排出されるようにするためである。
【００１６】
そして、モータ３の下部には、モータ３の下面に沿って円弧状に形成された放熱部材１６が取り付けられ、放熱部材１６のフィン１７の下部に回転制御用電子部品１２が固定されている。放熱部材１６と回転制御用電子部品１２はハウジング２の吸気孔１３の近傍に配置されている。
【００１７】
上記構成によれば、トリガ９を引き操作するとモータ３が作動し、モータ３の回転は減速部５で減速されて回転駆動伝達部７に伝達され、ドライバビットが回転してネジ止め作業が行われる。回転制御用電子部品１２が設けられているので、トリガ９の引き量の大きさによって、引き量が大きくなればなるほどモータ３の回転数が上がるようになっている。この作業を連続する中でモータ３が発熱するが、モータ３の回転と同時に冷却ファン４も回転するので、外気が吸気孔１３からハウジング２内に取り込まれ、モータ３を冷却した後、排気孔１４から排出される。
【００１８】
モータ３と同時に回転制御用電子部品１２も発熱する。ところが、回転制御用電子部品１２は放熱部材１６に取り付けられ、放熱部材１６は上記吸気孔１３の近傍に設けられているので、上記冷却用の空気の流れの中に配置されていることになる。また、回転制御用電子部品１２も上記空気の流れの中に配置されているから、直接に空気に接触して冷却されるほか、放熱部材１６も同様に冷却用空気に接触しているので、回転制御用電子部品１２の自己発熱も放熱部材１６を介して放熱、冷却される。さらに、上記回転制御電子部品は、吸気孔１３近傍に配置されているから、モータ３の発熱の影響を直接に受けることがない。
【００１９】
したがって、回転制御用電子部品１２の冷却効率は良好で、過熱による故障や出力効率の低下が少なく、信頼性の高い電動工具を提供することができる。
【００２０】
しかも、放熱部材１６及び回転制御用電子部品１２が設置される空間部Ｓは、電動工具の所定の使用から決定されるモータ３の直径や、冷却能力から決定される冷却ファン４の直径から定まるハウジング２の外径と、強度、作業性、美観、製作性等によりデザイン上求められる滑らかな形態の要請を満たす範囲内で設けることができるため、ハウジング２のサイズに悪影響を全く及ぼすことがない。また、グリップのサイズもスリムに保つことができる。
【００２１】
なお、上述の実施形態はインパクトドライバに関するものであるが、本発明はインパクトドライバに限定されない。電動ドリルなどの電動工具のように、モータの回転制御用電子部品を使用するものにも適用することができる。
【図面の簡単な説明】
【００２２】
【図１】本発明の実施の一形態に係るインパクトドライバの側面図
【図２】図１のＸ−Ｘ線上の断面図
【図３】要部を断面で示したインパクトドライバの一部側面図
【符号の説明】
【００２３】
Ｓ    空間部
２    ハウジング
３    モータ
７    回転駆動伝達部
１２  回転制御用電子部品
１３  吸気孔
１６  放熱部材
【図１】
2007268634.tif 000003
【図２】
2007268634.tif 000004
【図３】
2007268634.tif 000005